(57)【要約】  監視制御部から４波長を担当するＮＢ光モジュールを搭載したトランスポンダへの動作制御と同様の動作制御により、ＦＢＴＬ光モジュールを搭載したトランスポンダの動作制御が可能となる波長分割多重伝送装置を提供する。このため、光信号を広帯域波長から狭帯域波長へと変換するトランスポンダと、オペレータの指示によりトランスポンダを制御する監視制御部とを備え、トランスポンダは、監視制御部から指示されたチャンネル情報を、トランスポンダが担当する担当波長情報に変換する担当波長判定部と、担当波長判定部が変換した担当波長情報に基づいてフルバンドチューナブルレーザを発光させるように制御するＦＢＴＬモジュール制御部とを備える波長分割多重伝送装置とする。
2010070709.tif 000002
【特許請求の範囲】
【請求項１】
光信号を広帯域波長から狭帯域波長へと変換する複数のトランスポンダと、前記トランスポンダを制御する監視制御部と、を備える波長分割多重伝送装置において、
前記トランスポンダは、
前記監視制御部から指示されたチャンネル情報を、前記トランスポンダが担当する担当波長情報に変換する担当波長判定部と、
前記担当波長判定部が変換した前記担当波長情報に基づいて、前記光信号を出力するようにフルバンドチューナブルレーザ光モジュールを制御するＦＢＴＬ光モジュール制御部と、
を備えることを特徴とする波長分割多重伝送装置。
【請求項２】
請求項１に記載の波長分割多重伝送装置において、
前記トランスポンダは、前記担当波長情報が予め記録されたＰＩ記憶部を備え、
前記担当波長判定部は、前記監視制御部が前記ＰＩ記憶部から前記担当波長情報を読み出す場合に、読み出した前記担当波長情報を取得することにより、
前記チャンネル情報と前記担当波長情報とを関連付ける
ことを特徴とする波長分割多重伝送装置。
【請求項３】
請求項１に記載の波長分割多重伝送装置において、
前記トランスポンダは、前記担当波長情報が予め記録されたＰＩ記憶部を備え、
前記担当波長判定部は、前記トランスポンダが起動された場合に、前記ＰＩ記憶部から前記担当波長情報を読み出して、
前記チャンネル情報と前記担当波長情報とを関連付ける
ことを特徴とする波長分割多重伝送装置。
【請求項４】
請求項３に記載の波長分割多重伝送装置において、
前記監視制御部と前記担当波長判定部とによる、前記ＰＩ記憶部への読み出しアクセスが重複しないように、
前記担当波長判定部が前記ＰＩ記憶部から前記担当波長情報を読み出して前記担当波長情報を取得した後に、前記監視制御部が前記ＰＩ記憶部から前記担当波長情報を読み出す
ことを特徴とする波長分割多重伝送装置。
【請求項５】
光信号を広帯域波長から狭帯域波長へと変換する複数のトランスポンダと、オペレータの指示により前記トランスポンダを制御する監視制御部と、を備える波長分割多重伝送装置の波長制御方法において、
前記トランスポンダは、
前記監視制御部から指示されたチャンネル情報を、前記トランスポンダが担当する担当波長情報に変換する担当波長判定工程と、
前記担当波長判定工程で変換した前記担当波長情報に基づいて、前記光信号を出力するようにフルバンドチューナブルレーザ光モジュールを制御するＦＢＴＬ光モジュール制御工程と、
を有することを特徴とする波長分割多重伝送装置の波長制御方法。
【請求項６】
請求項５に記載の波長分割多重伝送装置の波長制御方法において、
前記トランスポンダは、前記担当波長情報が予め記録されたＰＩ記憶部を備え、
前記監視制御部が、前記ＰＩ記憶部から前記担当波長情報を読み出す読み出工程と、
担当波長判定部が、前記チャンネル情報と前記担当波長情報とを関連付けるように、前記読み出工程において、前記監視制御部が読み出す前記担当波長情報を取得する工程と、
を有することを特徴とする波長分割多重伝送装置の波長制御方法。
【請求項７】
請求項５に記載の波長分割多重伝送装置の波長制御方法において、
前記トランスポンダは、前記担当波長情報が予め記録されたＰＩ記憶部を備え、
担当波長判定部が、前記チャンネル情報と前記担当波長情報とを関連付けるように、前記トランスポンダが起動された場合に、前記ＰＩ記憶部から前記担当波長情報を読み出す工程を有する、
ことを特徴とする波長分割多重伝送装置の波長制御方法。
【請求項８】
請求項７に記載の波長分割多重伝送装置の波長制御方法において、
前記担当波長判定部が、前記ＰＩ記憶部から前記担当波長情報を読み出して前記担当波長情報を取得する第一読み出工程と、
前記第一読み出工程の後、前記監視制御部が、前記ＰＩ記憶部から前記担当波長情報を読み出す第二読み出工程と、
を有することを特徴とする波長分割多重伝送装置の波長制御方法。
【発明の詳細な説明】
【技術分野】
【０００１】
この発明は、所定の波長の光を出力する波長分割多重伝送装置と所定の波長の光を出力する波長分割多重伝送装置の波長制御方法とに関する。
【背景技術】
【０００２】
ＮＢ（Ｎａｒｒｏｗ  Ｂａｎｄ：狭帯域、以下適宜ＮＢと称する）モジュールは、従来、ＩＴＵ（Ｉｎｔｅｒｎａｔｉｏｎａｌ  Ｔｅｌｅｃｏｍｍｕｎｉｃａｔｉｏｎ  Ｕｎｉｏｎ：国際電気通信連合）で勧告される波長（Cバンド、Ｌバンド各々に５０ＧＨｚ間隔で規定）のうち、例えば４つの波長をサポートしており、一つの伝送装置で４０波長に対応させる場合には、１０種類（１０種類×４波長=４０波長）のＮＢ光モジュールを準備する必要があった。【０００３】
すなわち、各々異なる波長を出力する１０種類のＮＢモジュールを搭載したトランスポンダを１０個搭載する波長分割多重伝送装置を構築して対応していた。しかし、近年では伝送装置で収容する全ての波長をサポート可能なフルバンド・チューナブル・レーザー（以下、適宜ＦＢＴＬと称する）を搭載したＮＢ光モジュール（以下、適宜ＦＢＴＬ光モジュールと称する）が開発され、従来の４波長のみに対応するＮＢ光モジュールの利用は終息しつつある。【０００４】
また、４波長ＮＢ光モジュールは手配に時間を要する（例えば数ヶ月程度）にも関わらず、顧客からの具体的な使用波長帯の指示があるまで（確定波長のオーダーを受けるまで）は、製造手配が掛けられないという問題があった。【０００５】
この点、ＦＢＴＬ光モジュールは、具体的な使用波長帯の情報が予め得られていなくても、伝送装置で利用すると推測される全ての波長帯域への事後的なチューニングが可能であるので、必要なモジュール個数の情報のみで先行手配が可能となるメリットがある。【０００６】
既存の波長分割多重伝送装置では、４波長毎のＮＢ光モジュールを備えたトランスポンダを制御するためのソフトウェアが多くの制御ノウハウを蓄積して既に稼働している。このようなトランスポンダが、新たにＦＢＴＬ光モジュールを搭載するようになったとしても、既に市場で可動している波長分割多重伝送装置との互換性を保つために、監視制御部（典型的には、監視制御部の制御プログラムソフト）は変更したくないという実用上の制限がある。【０００７】
そこで、ＦＢＴＬ光モジュールを搭載した波長分割多重伝送装置であっても、その監視制御部からは、従来通り４波長を担当するＮＢ光モジュールへの動作制御と同様の動作制御により、ＦＢＴＬ光モジュールへの制御を可能とすることが望まれる。
【非特許文献１】フジクラ技法第１１１号２００６年１０月号，Ｐ１６，「１０Ｇｂｉｔ／ｓフルバンドチューナブル光トランスポンダ」藤咲芳春ら。
【発明の開示】
【発明が解決しようとする課題】
【０００８】
この発明は、監視制御部から４波長を担当するＮＢ光モジュールを搭載したトランスポンダへの動作制御と同様の動作制御により、ＦＢＴＬ光モジュールを搭載したトランスポンダの動作制御が可能となる波長分割多重伝送装置を提供することを目的とする。
【課題を解決するための手段】
【０００９】
この発明にかかる波長分割多重伝送装置のある態様は、光信号を広帯域波長から狭帯域波長へと変換するトランスポンダと、オペレータの指示によりトランスポンダを制御する監視制御部とを備え、トランスポンダは、監視制御部から指示されたチャンネル情報を、トランスポンダが担当する担当波長情報に変換する担当波長判定部と、担当波長判定部が変換した担当波長情報に基づいて、光信号を出力するようにフルバンドチューナブルレーザ光モジュールを制御するＦＢＴＬ光モジュール制御部とを備える。【００１０】
また、この発明にかかる波長分割多重伝送装置のある態様は、好ましくはトランスポンダが、担当波長情報が予め記録されたＰＩ記憶部を備え、担当波長判定部は、監視制御部がＰＩ記憶部から担当波長情報を読み出す場合に、読み出した担当波長情報を取得することにより、チャンネル情報と担当波長情報とを関連付けてもよい。【００１１】
また、この発明にかかる波長分割多重伝送装置の他の態様は、好ましくはトランスポンダが、担当波長情報が予め記録されたＰＩ記憶部を備え、担当波長判定部は、トランスポンダが起動された場合に、ＰＩ記憶部から担当波長情報を読み出して、チャンネル情報と担当波長情報とを関連付けてもよい。【００１２】
また、この発明にかかる波長分割多重伝送装置の他の態様は、さらに好ましくは監視制御部と担当波長判定部とによる、ＰＩ記憶部への読み出しアクセスが重複しないように、担当波長判定部がＰＩ記憶部から担当波長情報を読み出して担当波長情報を取得した後に、監視制御部がＰＩ記憶部から担当波長情報を読み出してもよい。【００１３】
また、この発明にかかる波長分割多重伝送装置の波長制御方法のある態様では、光信号を広帯域波長から狭帯域波長へと変換するトランスポンダと、オペレータの指示によりトランスポンダを制御する監視制御部と、を備える波長分割多重伝送装置の波長制御方法であって、トランスポンダは、監視制御部から指示されたチャンネル情報を、トランスポンダが担当する担当波長情報に変換する担当波長判定工程と、担当波長判定工程で変換した担当波長情報に基づいて、光信号を出力するようにフルバンドチューナブルレーザ光モジュールを制御するＦＢＴＬ光モジュール制御工程とを有する。【００１４】
また、この発明にかかる波長分割多重伝送装置の波長制御方法のある態様では、好ましくはトランスポンダが、担当波長情報が予め記録されたＰＩ記憶部を備え、監視制御部が、ＰＩ記憶部から担当波長情報を読み出す工程と、担当波長判定部が、チャンネル情報と担当波長情報とを関連付けるように、監視制御部が読み出した担当波長情報を取得する工程とを有してもよい。【００１５】
また、この発明にかかる波長分割多重伝送装置の波長制御方法の他の態様では、好ましくはトランスポンダが、担当波長情報が予め記録されたＰＩ記憶部を備え、担当波長判定部が、チャンネル情報と担当波長情報とを関連付けるように、トランスポンダが起動された場合に、ＰＩ記憶部から担当波長情報を読み出す工程を有してもよい。【００１６】
また、この発明にかかる波長分割多重伝送装置の波長制御方法の他の態様では、さらに好ましくは担当波長判定部が、ＰＩ記憶部から担当波長情報を読み出して担当波長情報を取得する第一読み出工程と、第一読み出工程の後、監視制御部が、ＰＩ記憶部から担当波長情報を読み出す第二読み出工程とを有してもよい。
【発明の効果】
【００１７】
この発明により、監視制御部から４波長を担当するＮＢ光モジュールを搭載したトランスポンダへの動作制御と同様の動作制御により、ＦＢＴＬ光モジュールを搭載したトランスポンダの動作制御が可能となる波長分割多重伝送装置を提供できる。
【図面の簡単な説明】
【００１８】
【図１】図１は、第一の実施形態にかかる波長分割多重伝送装置の構成を概念的に示すブロック図である。
【図２】図２は、波長分割多重伝送装置の構成を説明する全体の概念ブロック図である。
【図３】図３は、伝送装置がサポートする４０個の波長と、４０個の波長を４波長ずつ分担して担当する１０個のトランスポンダと、各トランスポンダにおける４つのチャンネルと、の対応関係を例示する説明図である。
【図４】図４は、伝送装置の動作処理を概念的に説明するフロー図である。
【図５】図５は、第二の実施形態にかかる波長分割多重伝送装置の構成を概念的に示すブロック図である。
【図６】図６は、第二の実施形態にかかる伝送装置の動作処理を概念的に説明するフロー図である。
【図７】図７は、第三の実施形態にかかる波長分割多重伝送装置の構成を概念的に示すブロック図である。
【図８】図８は、伝送装置の動作処理を概念的に説明するフロー図である。
【図９】図９は、従来の波長分割多重伝送装置の構成を説明する概念ブロック図である。
【図１０】図１０は、従来の波長分割多重伝送装置の構成を説明する全体の概念ブロック図である。
【符号の説明】
【００１９】
１００・・伝送装置、１１０・・トランスポンダ、１１１・・波長設定情報一時記憶部、１１２・・ＦＢＴＬ光モジュール制御部、１１３・・ＦＢＴＬ光モジュール、１１４・・担当波長情報一時記憶部、１１５・・フィジカルインベントリ記憶部、１１６・・担当波長判定部、１１７・・デバイス部、１５０・・監視制御部、１５１・・波長設定部、１５２・・トランスポンダ担当波長読み出し部。
【発明を実施するための最良の形態】
【００２０】
波長分割多重（Ｗａｖｅｌｅｎｇｔｈ  Ｄｉｖｉｓｉｏｎ  Ｍｕｌｔｉｐｌｅｘｉｎｇ：以下、適宜ＷＤＭと称する）伝送装置では、波長多重の前処理としてトランスポンダにおいてＷｉｄｅ  Ｂａｎｄ（広帯域波長、以下適宜ＷＢと称する）光信号からＮａｒｒｏｗ  Ｂａｎｄ（狭帯域波長、以下適宜ＮＢと称する）光信号への変換処理を行っている。【００２１】
本発明は、このトランスポンダに搭載されるＮＢ光変換モジュール（以下、適宜ＮＢ光モジュールと称する）の波長設定制御に関する技術である。そこで、まず図９と図１０とを用いて、４波長ＮＢ光モジュールの動作と構成とについて概要を説明する。図９は、従来の波長分割多重伝送装置の構成を説明する概念ブロック図である。また、図１０は、従来の波長分割多重伝送装置の構成を説明する全体の概念ブロック図である。【００２２】
図９においては、トランスポンダと監視制御部との関係を主として説明する観点から１個のトランスポンダのみについて記載するものであるが、波長分割多重伝送装置は、図１０に示すように１０個のトランスポンダを備えており、各トランスポンダが各々異なる４波長を出力可能に構成される。【００２３】
図９において、トランスポンダ９１０は伝送装置９００に差し込み等により実装された場合または電源起動された場合に、監視制御部９５０へ実装されたことを知らせる実装通知をする。トランスポンダ９１０と監視制御部９５０とは、典型的には筐体に挿入脱着可能に搭載されて伝送装置９００を構成している。このため、トランスポンダ９１０と監視制御部９５０とは、各々不図示の通信部を備えて当該通信部を介して相互に通信する。【００２４】
監視制御部９５０は、実装通知があるとトランスポンダ９１０が備えるフィジカルインベントリ（Ｐｈｙｓｉｃａｌ  Ｉｎｖｅｎｔｏｒｙ：以下適宜ＰＩと称する）記憶部９１５からパッケージ名称や担当波長等のＰＩ情報を読み出す。フィジカルインベントリ記憶部９１５は、例えばＥＥＰＲＯＭ(Electric Erasable Programmable Read Only Memory)やフラッシュメモリ、ＦＥＲＡＭ(Ferroelectric Random Access Memory)等の不揮発性メモリを用いてもよい。【００２５】
監視制御部９５０は、トランスポンダ９１０のフィジカルインベントリ記憶部９１５が有するＰＩ情報を、レジスタメモリ、バッファメモリである担当波長情報一時記憶部９１４を介して読み出す。読み出されたＰＩ情報は、監視制御部９５０のトランスポンダ担当波長読み出し部９５２に入力され、トランスポンダ担当波長読み出し部９５２は、対象となるトランスポンダ９１０が担当する４つの波長を識別する。なお、フィジカルインベントリ記憶部９１５には、予めそのトランスポンダ９１０が担当する４つの波長情報等が記録されている。【００２６】
監視制御部９５０の波長設定部９５１は、例えばオペレータ等の外部（ＭＭＩＦ等：Ｍａｎ  Ｍａｃｈｉｎｅ  Ｉｎｔｅｒｆａｃｅ）から入力された使用波長の指示に基づき、トランスポンダ担当波長読み出し部９５２が識別した４つの担当波長のうち、ＮＢ光モジュール９１３を現実に発光させる発光波長情報としてチャンネル情報をトランスポンダ９１０へ出力する。波長設定部９５１が出力するチャンネル情報は、具体的にはＣＨ１、ＣＨ２、ＣＨ３、ＣＨ４のいずれか一つとなる。【００２７】
波長設定部９５１が出力したチャンネル情報は、トランスポンダ９１０の波長設定情報一時記憶部９１１に一時的に記憶される。波長設定情報一時記憶部９１１は、レジスタメモリ、バッファメモリである。ＮＢ光モジュール制御部９１２は、波長設定情報一時記憶部９１１に一時的に記憶されたチャンネル情報を、４波長光モジュールであるＮＢ光モジュール９１３に出力し、ＮＢ光モジュール９１３が当該波長で発光するように発光制御する。なお、ＮＢ光モジュール制御部９１２は、ＤＣ信号またはＩ２Ｃ等の通信方式により現実に使用する一つのチャンネルを伝達してＮＢ光モジュール９１３の発光制御をする。【００２８】
図１０に示すように、伝送装置９００は典型的には４０波長に対応可能に構築されており、４つの波長毎に、当該４波長を担当するトランスポンダ９１０（１），９１０（２）・・９１０（９），９１０（１０）が決められている。図１０から明らかなように、４０波長の全てをサポートする伝送装置９００とする為には、１０種類のトランスポンダ９１０（１），９１０（２）・・９１０（９），９１０（１０）（以下、適宜トランスポンダ９１０と称する）が必要となる。各トランスポンダ９１０の構成は同じであり、各トランスポンダ９１０はそれぞれ、対応するＮＢ光モジュール制御部９１２（１），９１２（２）・・９１２（９），９１２（１０）と、対応するＮＢ光モジュール９１３（１），９１３（２）・・９１３（９），９１３（１０）とを備える。但し、上述したように、各ＮＢ光モジュール９１３（１），９１３（２）・・９１３（９），９１３（１０）の各々が発光可能な４つの波長は各々異なる波長であって、予め定められた波長である。【００２９】
ここで、図９と図１０とに示すトランスポンダ９１０が備える固定４波長のＮＢ光モジュール９１３に代えて、1つのモジュールでも４０波長に対応可能なＦＢＴＬのＮＢ光モジュールを使用するためには、監視制御部９５０からＦＢＴＬのＮＢ光モジュールに対して、波長１〜４０のうち現実に発光する波長の設定する必要がある。しかし、監視制御部９５０は、特にその制御ソフトウェアにおける大きな変更を回避することが求められている。また、既存のトランスポンダ９１０の構成、すなわち各々４つの異なる波長を担当する１０個のトランスポンダ９１０を備えるとの構成も踏襲することが好ましいことから、ＦＢＴＬのＮＢ光モジュールへの差し替えにあたり、何らかの整合措置が必要となる。【００３０】
（第一の実施形態）
図１は、第一の実施形態にかかる波長分割多重伝送装置の構成を概念的に示すブロック図である。図１において、伝送装置１００は波長分割多重伝送装置であって、広帯域の光を狭帯域に変換するトランスポンダ１１０と監視制御部１５０とを備える。図１においては、説明の簡便のためトランスポンダ１１０は一つ記載するが、現実には伝送装置１００は複数のトランスポンダ１１０を備える。【００３１】
トランスポンダ１１０は、ＦＰＧＡ等で構成されるデバイス部１１７を備える。デバイス部１１７を構成する主たる半導体デバイスとしては、ＰＬＤ(Programmable Logic Device)が利用される。ＰＬＤ(Programmable Logic Device)は、論理的な回路構造をプログラミングによって変更可能な半導体デバイスであり、一種のセミカスタムＬＳＩである。開発・製造期間を短縮でき、コストを抑えて個別用途に特化させることができる。ＰＬＤには、ＰＡＬ(Programmable Array Logic)、ＧＡＬ(Generic Array Logic)、ＣＰＬＤ(Complex Programmable Logic Device)、ＦＰＧＡ(Field Programmable Gate Array)等の種類があり、任意の種類を用いることとできる。【００３２】
図１において、トランスポンダ１１０は伝送装置１００に差し込み等により挿脱可能に実装された際、またはトランスポンダ１１０の電源が起動された際に、監視制御部１５０へ実装されたことを知らせる実装通知をする。トランスポンダ１１０と監視制御部１５０とは、典型的には筐体に挿入脱着可能に搭載されて伝送装置１００を構成している。このため、トランスポンダ１１０と監視制御部１５０とは、各々不図示の通信部を備えて当該通信部を介して相互に通信する。【００３３】
監視制御部１５０は、実装通知があるとトランスポンダ１１０が備えるフィジカルインベントリ（Ｐｈｙｓｉｃａｌ  Ｉｎｖｅｎｔｏｒｙ：以下適宜ＰＩと称する）記憶部１１５からパッケージ名称や担当波長等のＰＩ情報を読み出す。フィジカルインベントリ記憶部１１５は、例えばＥＥＰＲＯＭ(Electric Erasable Programmable Read Only Memory)やフラッシュメモリ、ＦＥＲＡＭ(Ferroelectric Random Access Memory)等の不揮発性メモリを用いてもよい。【００３４】
監視制御部１５０は、トランスポンダ１１０のフィジカルインベントリ記憶部１１５が有するＰＩ情報を、レジスタメモリ、バッファメモリである担当波長情報一時記憶部１１４を介して読み出す。読み出されたＰＩ情報は、監視制御部１５０のトランスポンダ担当波長読み出し部１５２に入力され、トランスポンダ担当波長読み出し部１５２は、対象となるトランスポンダ１１０が担当する４つの波長を識別する。なお、フィジカルインベントリ記憶部１１５には、予めそのトランスポンダ１１０が担当する４つの波長情報等が記録されている。【００３５】
ここで、トランスポンダ１１０は、レジスタメモリ、バッファメモリである担当波長情報一時記憶部１１４に一時記憶されたＰＩ情報が、担当波長情報一時記憶部１１４から入力される担当波長判定部１１６を備える。担当波長判定部１１６は、担当波長情報一時記憶部１１４から担当波長等のＰＩ情報を取得し、自身のトランスポンダ１１０が担当するべき４つの波長帯域を認識する。また、担当波長判定部１１６は、４つの波長帯域について、波長の短い順から順次チャンネル１，２，３，４を対応させる。これにより、担当波長判定部１１６は、チャンネル（ＣＨ）と、そのチャンネルに対応する波長と、を関連付けるものとする。【００３６】
監視制御部１５０の波長設定部１５１は、例えばオペレータ等の外部（ＭＭＩＦ等）から入力された使用波長帯域の指示に基づき、トランスポンダ担当波長読み出し部１５２が識別した４つの担当波長のうち、ＦＢＴＬ光モジュール１１３を現実に発光させる発光波長情報としてチャンネル情報をトランスポンダ１１０へ出力する。波長設定部１５１が出力するチャンネル情報は、具体的にはＣＨ１、ＣＨ２、ＣＨ３、ＣＨ４のいずれか一つとなる。【００３７】
チャンネル情報は、トランスポンダ１１０の波長設定情報一時記憶部１１１に一時的に記憶される。波長設定情報一時記憶部１１１は、レジスタメモリ、バッファメモリ等である。担当波長判定部１１６は、波長設定情報一時記憶部１１１から入力されるチャンネル情報を、そのチャンネルに対応する波長情報に変換して、波長情報としてＦＢＴＬ光モジュール制御部１１２に出力する。【００３８】
ＦＢＴＬ光モジュール制御部１１２は、担当波長判定部１１６から入力された発光波長に関する波長情報をＦＢＴＬ光モジュール１１３に出力し、ＦＢＴＬ光モジュール１１３が当該波長で発光するように発光制御する。なお、ＦＢＴＬ光モジュール制御部１１２は、ＤＣ信号またはＩ２Ｃ等の通信方式により現実に発光させる波長情報を指示してＦＢＴＬ光モジュール１１３の発光制御をする。【００３９】
上述の説明で明らかなように、波長設定部１５１からトランスポンダ１１０には、従来現実に発光させるチャンネル（ＣＨ）情報が指示入力されるところ、ＦＢＴＬ光モジュール１１３においては、特定の４チャンネルと対応する特定の４波長は存在しないので、このままでは、指示されたチャンネルがどの波長で発光するとの指示であるのか不明である。担当波長判定部１１６は、波長設定部１５１から入力されるチャンネル情報を、具体的な発光波長の情報に対応させて変換して、ＦＢＴＬ光モジュール制御部１１２へと出力する。【００４０】
また、担当波長判定部１１６は、自身が搭載されるトランスポンダ１１０の担当波長４つの中から、指示されたチャンネルに対応する波長をＦＢＴＬ光モジュール制御部１１２へと出力する。これにより、ＦＢＴＬ光モジュール１１３は、ＦＢＴＬ光モジュール制御部１１２から制御指示された波長で発光する。なお、従来のＮＢ光モジュール９１３においては、チャンネルと波長との関係が予め固定されているので、チャンネル指示のみにより、そのチャンネルに対応する特定波長で発光できるものである。【００４１】
図２は、波長分割多重伝送装置の構成を説明する全体の概念ブロック図である。図２に示すように、伝送装置１００は伝送装置９００と同様に、典型的には４０波長に対応しており、４つの波長毎に、当該４波長を担当するトランスポンダ１１０（Ａ），１１０（Ｂ）・・１１０（Ｉ），１１０（Ｊ）が決められている。トランスポンダ１１０（Ａ），１１０（Ｂ）・・１１０（Ｉ），１１０（Ｊ）（以下、適宜トランスポンダ１１０と称する）は、各々ＦＢＴＬ光モジュール１１３を備えるので、４０波長の全てをサポートする伝送装置１００とする為に、１０種類のトランスポンダ１１０が必要となるわけではない。しかし、従来のトランスポンダ９１０との互換性及び制御性等の観点からＦＢＴＬ光モジュール１１３を備える伝送装置１００においても、１０種類のトランスポンダ１１０を備えるものとする。【００４２】
各トランスポンダ１１０の構成は同じであり、各トランスポンダ１１０はそれぞれ、対応するＦＢＴＬ光モジュール制御部１１２（Ａ），１１２（Ｂ）・・１１２（Ｉ），１１２（Ｊ）と、対応するＦＢＴＬ光モジュール１１３（Ａ），１１３（Ｂ）・・１１３（Ｉ），１１３（Ｊ）とを備える。但し、上述したように、各ＦＢＴＬ光モジュール１１３（Ａ），１１３（Ｂ）・・１１３（Ｉ），１１３（Ｊ）の各々が、伝送装置１００において担当する４つの波長は各々異なる波長であり、伝送装置１００に求められる機能に応じて予め定められた波長である。【００４３】
これにより、監視制御部１５０からＦＢＴＬのＮＢ光モジュールに対して、当該伝送装置１００が用いる４０個の波長１〜４０のうち、現実に発光する波長の設定をすることが可能となる。【００４４】
図３は、伝送装置１００がサポートする４０個の波長と、４０個の波長を４波長ずつ分担して担当する１０個のトランスポンダと、各トランスポンダにおける４つのチャンネルと、の対応関係を例示する説明図である。【００４５】
次に、図４を用いて伝送装置１００の動作処理について順次説明する。図４は、伝送装置１００の動作処理を概念的に説明するフロー図である。【００４６】
（ステップＳ４１）
トランスポンダ１１０の電源が起動された場合、またはトランスポンダ１１０が伝送装置１００に差し込み挿入された場合にはステップＳ４２へと進む。すなわち、トランスポンダ１１０が伝送装置１００に懸架されて動作可能なように実装された状態であれば、ステップＳ４２へと進む。【００４７】
トランスポンダ１１０の電源が起動されていない場合、かつトランスポンダ１１０が伝送装置１００に差し込み挿入されていない場合にはステップＳ４１で待機する。すなわち、トランスポンダ１１０が伝送装置１００に懸架されて動作可能なように実装された状態でなければ、ステップＳ４１で待機する。【００４８】
（ステップＳ４２）
トランスポンダ１１０から監視制御部１５０へ、トランスポンダ１１０が動作可能なように実装された状態であることを通知する。トランスポンダ１１０が動作可能なように実装された状態であることを通知された監視制御部１５０は、トランスポンダ１１０のフィジカルインベントリ記憶部１１５から、ＰＩ情報の読み出しを開始する。ＰＩ情報は、典型的には担当波長情報やパッケージ名称等であって、そのトランスポンダ１１０を特徴付ける固有の情報である。【００４９】
（ステップＳ４３）
トランスポンダ１１０は、監視制御部１５０からフィジカルインベントリ記憶部１１５へのＰＩ情報の読み出しアクセスを検知する。フィジカルインベントリ記憶部１１５へのＰＩ情報の読み出しアクセスの検知は、典型的には担当波長判定部１１６がするものとする。【００５０】
トランスポンダ１１０が、監視制御部１５０からフィジカルインベントリ記憶部１１５へのＰＩ情報の読み出しアクセスを検知すれば、ステップＳ４４へと進む。また、トランスポンダ１１０が、監視制御部１５０からフィジカルインベントリ記憶部１１５へのＰＩ情報の読み出しアクセスを検知しなければ、ステップＳ４３で待機する。【００５１】
（ステップＳ４４）
担当波長判定部１１６は、監視制御部１５０がフィジカルインベントリ記憶部１１５からＰＩ情報を読み出す際に、ＰＩ情報を一時的に記憶させるバッファである担当波長情報一時記憶部１１４から、当該トランスポンダ１１０が担当する４つの波長を読み出す。また、担当波長判定部１１６は、担当波長情報一時記憶部１１４から読み出した４つの担当波長について、波長の短い方から長い方へと順に、ＣＨ１，ＣＨ２，ＣＨ３，ＣＨ４と割り当てて対応付ける。【００５２】
なお、担当波長判定部１１６が認識する担当波長とチャンネルとの対応関係は、監視制御部１５０における対応関係と同一であるものとする。これにより、監視制御部１５０から使用チャンネルのみが指示された場合においても、トランスポンダ１１０においてそのチャンネルに対応する担当波長を認識できることとなる。担当波長判定部１１６は、典型的にはＦＢＴＬ光モジュール１１３がサポートする４０波長のうち、担当する４波長とチャンネル番号（ＣＨ１乃至ＣＨ４）との対応関係を識別するものとする。【００５３】
（ステップＳ４５）
監視制御部１５０は、オペレータ等から外部のＭＭＩＦや入力装置等を介して当該トランスポンダ１１０で現実に使用する波長情報の入力指示があったか否かを判断する。オペレータ等からトランスポンダ１１０で現実に使用する波長情報の入力指示があった場合には、ステップＳ４６へと進む。また、オペレータ等からトランスポンダ１１０で現実に使用する波長情報の入力指示がない場合には、ステップＳ４５で待機する。【００５４】
（ステップＳ４６）
監視制御部１５０は、トランスポンダ１１０に対して用いるチャンネル指示を出力する。監視制御部１５０からのチャンネル指示は、波長設定情報一時記憶部１１１を介して担当波長判定部１１６に入力される。【００５５】
（ステップＳ４７）
担当波長判定部１１６は、波長設定情報一時記憶部１１１を介して入力されたチャンネル指示を対応する波長に変換し、発光波長をＦＢＴＬ光モジュール制御部１１２へと出力する。ここで、担当波長判定部１１６によるチャンネル指示の波長への対応付けは、ステップＳ４４における認識に基づくものである。【００５６】
（ステップＳ４８）
ＦＢＴＬ光モジュール制御部１１２は、ＦＢＴＬ光モジュール１１３を、担当波長判定部１１６から入力された波長で発光させるように制御指示を出力する。【００５７】
（ステップＳ４９）
ＦＢＴＬ光モジュール１１３は、ＦＢＴＬ光モジュール制御部１１２からの制御指示に基づいて、指示された担当波長で発光して光信号を出力する。【００５８】
伝送装置１００は、既存の伝送装置へＦＢＴＬタイプのＮＢ光モジュールの適用が容易にかつ低コストで可能となる伝送装置であるだけではなく、トランスポンダの種類毎に、そのトランスポンダに対応する専用のハード（ＦＰＧＡ等）を準備しなくても良いという点で好ましいものである。【００５９】
また、伝送装置１００は、監視制御部１５０（典型的には監視制御部１５０の制御プログラムソフトウェアにより）がＥＥＰＲＯＭ等で構成されるフィジカルインベントリ記憶部１１５からＰＩ情報を読み出すことを利用する。従って、トランスポンダ１１０が自立でフィジカルインベントリ記憶部１１５にアクセスする必要が無く、ハードウェアの構成規模を低減でき、小型軽量かつ安価な装置とできるので好ましい。【００６０】
（第二の実施形態）
図５は、第二の実施形態にかかる波長分割多重伝送装置の構成を概念的に示すブロック図である。図５において、伝送装置１００（２）は波長分割多重伝送装置であって、広帯域の光を狭帯域に変換するトランスポンダ１１０（２）と、トランスポンダ１１０（２）を監視制御する監視制御部１５０（２）とを備える。図５においては、説明の簡便のためトランスポンダ１１０（２）は一つ記載するが、現実には伝送装置１００（２）は複数のトランスポンダ１１０（２）を備える。また、伝送装置１００（２）は、伝送装置１００と同一の構成と動作とを有する部分があるが、誤解を避けるために以下に詳細に説明することとする。【００６１】
トランスポンダ１１０（２）は、ＦＰＧＡ等で構成されるデバイス部１１７（２）を備える。デバイス部１１７（２）は、波長設定情報一時記憶部１１１（２）とＦＢＴＬ光モジュール制御部１１２（２）と担当波長判定部１１６（２）と担当波長情報一時記憶部１１４（２）とを備えるものとする。【００６２】
図５において、トランスポンダ１１０（２）は伝送装置１００（２）に差し込み等により挿脱可能に実装された際、またはその電源が起動された際に、監視制御部１５０（２）へ実装されたことを知らせる実装通知をする。トランスポンダ１１０（２）と監視制御部１５０（２）とは、典型的には筐体に挿入脱着可能に搭載されて伝送装置１００（２）を構成している。このため、トランスポンダ１１０（２）と監視制御部１５０（２）とは、各々不図示の通信部を備えて当該通信部を介して相互に通信する。【００６３】
監視制御部１５０（２）は、実装通知があるとトランスポンダ１１０（２）が備えるフィジカルインベントリ記憶部１１５（２）からパッケージ名称や担当波長等のＰＩ情報を読み出す。【００６４】
監視制御部１５０（２）は、トランスポンダ１１０（２）のフィジカルインベントリ記憶部１１５（２）が有するＰＩ情報を、レジスタメモリ、バッファメモリである担当波長情報一時記憶部１１４（２）を介して読み出す。読み出されたＰＩ情報は、監視制御部１５０（２）のトランスポンダ担当波長読み出し部１５２（２）に入力され、トランスポンダ担当波長読み出し部１５２（２）は、対象となるトランスポンダ１１０（２）が担当する４つの波長を識別する。なお、フィジカルインベントリ記憶部１１５（２）には、予めそのトランスポンダ１１０（２）が担当する４つの波長情報等が記録されているものとする。【００６５】
トランスポンダ１１０（２）は、トランスポンダ１１０（２）が動作可能に実装された状態となった場合に、フィジカルインベントリ記憶部１１５（２）からＰＩ情報を、自立的に読み出す担当波長判定部１１６（２）を備える。担当波長判定部１１６（２）は、例えばトランスポンダ１１０（２）の電源が起動された場合に、フィジカルインベントリ記憶部１１５（２）からＰＩ情報を自立的に取得し、自身のトランスポンダ１１０（２）が担当するべき４つの波長帯域を認識する。また、担当波長判定部１１６（２）は、４つの波長帯域について、波長の短い順から順次チャンネル１，２，３，４を対応させる。これにより、担当波長判定部１１６は、チャンネル番号（ＣＨ番号）と、そのチャンネル番号に対応する波長と、を関連付けるものとする。【００６６】
監視制御部１５０（２）の波長設定部１５１（２）は、例えばオペレータ等の外部（ＭＭＩＦ等）から入力された使用波長帯域の指示に基づき、トランスポンダ担当波長読み出し部１５２（２）が識別した４つの担当波長のうち、ＦＢＴＬ光モジュール１１３（２）を現実に発光させる発光波長情報としてチャンネル情報をトランスポンダ１１０（２）へ出力する。波長設定部１５１（２）が出力するチャンネル情報は、具体的にはＣＨ１、ＣＨ２、ＣＨ３、ＣＨ４のいずれか一つとなる。【００６７】
チャンネル情報は、トランスポンダ１１０（２）の波長設定情報一時記憶部１１１（２）に一時的に記憶される。波長設定情報一時記憶部１１１（２）は、レジスタメモリ、バッファメモリ等である。担当波長判定部１１６（２）は、波長設定情報一時記憶部１１１（２）から入力されるチャンネル情報を、そのチャンネルに対応する波長情報に変換して、波長情報としてＦＢＴＬ光モジュール制御部１１２（２）に出力する。【００６８】
ＦＢＴＬ光モジュール制御部１１２（２）は、担当波長判定部１１６（２）から入力された発光波長に関する波長情報をＦＢＴＬ光モジュール１１３（２）に出力し、ＦＢＴＬ光モジュール１１３（２）が当該波長で発光するように発光制御する。なお、ＦＢＴＬ光モジュール制御部１１２（２）は、ＤＣ信号またはＩ２Ｃ（Inter-Integrated Circuit）等の通信方式により現実に使用する波長を指示してＦＢＴＬ光モジュール１１３（２）の発光制御をする。【００６９】
上述の説明で明らかなように、波長設定部１５１（２）からトランスポンダ１１０（２）には、従来発光させるチャンネル（ＣＨ）情報が指示入力されるところ、ＦＢＴＬ光モジュール１１３（２）は特定の４チャンネルと対応する特定の４波長は存在しないので、このままでは、指示されたチャンネルがどの波長で発光するとの指示であるのか不明である。担当波長判定部１１６（２）は、波長設定部１５１（２）から入力されるチャンネル情報を、具体的な発光波長の情報に変換して、ＦＢＴＬ光モジュール制御部１１２（２）へと出力する。【００７０】
また、担当波長判定部１１６（２）は、自身が搭載されるトランスポンダ１１０（２）の担当波長４つの中から、指示されたチャンネルに対応する波長をＦＢＴＬ光モジュール制御部１１２（２）へと出力する。これにより、ＦＢＴＬ光モジュール１１３（２）は、サポート可能な４０波長のうち、ＦＢＴＬ光モジュール制御部１１２（２）から制御指示された波長で発光する。なお、従来のＮＢ光モジュール９１３においては、チャンネルと波長との関係が予め固定されているので、チャンネル指示のみにより、そのチャンネルに対応する特定波長で発光できるものである。【００７１】
次に、図６を用いて伝送装置１００（２）の動作処理について順次説明する。図６は、伝送装置１００（２）の動作処理を概念的に説明するフロー図である。【００７２】
（ステップＳ６１）
トランスポンダ１１０（２）の電源が起動された場合、またはトランスポンダ１１０（２）が伝送装置１００（２）に差し込み挿入された場合にはステップＳ６２へと進む。すなわち、トランスポンダ１１０（２）が伝送装置１００（２）に懸架されて動作可能なように実装された状態であれば、ステップＳ６２へと進む。【００７３】
トランスポンダ１１０（２）の電源が起動されていない場合、かつトランスポンダ１１０（２）が伝送装置１００（２）に差し込み挿入されていない場合にはステップＳ４１で待機する。すなわち、トランスポンダ１１０（２）が伝送装置１００（２）に懸架されて動作可能なように実装された状態でなければ、ステップＳ６１で待機する。【００７４】
（ステップＳ６２）
トランスポンダ１１０（２）から監視制御部１５０（２）へ、トランスポンダ１１０（２）が動作可能なように実装された状態であることを通知する。トランスポンダ１１０（２）が動作可能なように実装された状態であることを通知された監視制御部１５０（２）は、トランスポンダ１１０（２）のフィジカルインベントリ記憶部１１５（２）から、ＰＩ情報の読み出しを開始する。ＰＩ情報は、典型的には担当波長情報やパッケージ名称等であって、そのトランスポンダ１１０（２）を特徴付ける固有の情報である。【００７５】
また、トランスポンダ１１０（２）の担当波長判定部１１６（２）は、フィジカルインベントリ記憶部１１５（２）から４つの担当波長を、監視制御部１５０（２）の指示を待つことなく読み出す。【００７６】
（ステップＳ６３）
担当波長判定部１１６（２）は、フィジカルインベントリ記憶部１１５（２）からトランスポンダ１１０（２）が担当する４つの波長を読み出した後、読み出した４つの担当波長について、波長の短い方から長い方へと順に、ＣＨ１，ＣＨ２，ＣＨ３，ＣＨ４と割り当てて対応付ける。【００７７】
担当波長判定部１１６（２）が認識する担当波長とチャンネルとの対応関係は、監視制御部１５０（２）における対応関係と同一であるものとする。これにより、監視制御部１５０（２）から使用チャンネルのみが指示された場合においても、トランスポンダ１１０（２）においてそのチャンネルに対応する担当波長を認識できることとなる。担当波長判定部１１６（２）は、典型的にはＦＢＴＬ光モジュール１１３（２）がサポートする４０波長のうち、担当する４波長とチャンネル番号（ＣＨ１乃至ＣＨ４）との対応関係を識別するものとする。【００７８】
（ステップＳ６４）
監視制御部１５０（２）は、オペレータ等から外部のＭＭＩＦや入力装置等を介して当該トランスポンダ１１０（２）で現実に使用する波長情報の入力指示があったか否かを判断する。オペレータ等からトランスポンダ１１０（２）で現実に使用する波長情報の入力指示があった場合には、ステップＳ６５へと進む。また、オペレータ等からトランスポンダ１１０（２）で現実に使用する波長情報の入力指示がない場合には、ステップＳ６４で待機する。【００７９】
（ステップＳ６５）
監視制御部１５０（２）は、トランスポンダ１１０（２）に対して用いるチャンネル指示を出力する。監視制御部１５０（２）からのチャンネル指示は、波長設定情報一時記憶部１１１（２）を介して担当波長判定部１１６（２）に入力される。【００８０】
（ステップＳ６６）
担当波長判定部１１６（２）は、波長設定情報一時記憶部１１１（２）を介して入力されたチャンネル指示を対応する波長に変換し、発光波長をＦＢＴＬ光モジュール制御部１１２（２）へと出力する。ここで、担当波長判定部１１６（２）によるチャンネル指示の波長への対応付けは、ステップＳ６３における認識に基づくものである。【００８１】
（ステップＳ６７）
ＦＢＴＬ光モジュール制御部１１２（２）は、ＦＢＴＬ光モジュール１１３（２）を、担当波長判定部１１６（２）から入力された波長で発光させるように制御指示を出力する。【００８２】
（ステップＳ６８）
ＦＢＴＬ光モジュール１１３（２）は、ＦＢＴＬ光モジュール制御部１１２（２）からの制御指示に基づいて、指示された担当波長で発光して光信号を出力する。【００８３】
トランスポンダ１１０（２）のハード（ＦＰＧＡ等）が、監視制御部１５０（２）やオペレータからの指示に依存せずに、自立的にＰＩ情報を読み出して識別するため、監視制御部１５０（２）の読み出し手順や読み出しタイミングに対応させる必要が無い。このため、トランスポンダ１１０（２）の電源起動と共に、速やかに担当波長判定部１１６（２）が自身のトランスポンダ１１０（２）が担当するべき４波長とチャンネル番号（ＣＨ１乃至４）とを対応づけして認識できるので、好ましい。【００８４】
また、伝送装置１００（２）は、監視制御部１５０（２）からフィジカルインベントリ記憶部１１５（２）へのＰＩ情報読出しアクセスを正確に検出する必要がない。このため、伝送装置１００（２）は、たとえばＩ２Ｃ等を含めた複数の読出しフォーマットを持つ監視制御部１５０（２）からのアクセスの場合であっても、あらゆる読出しフォーマットに対応した複雑なＦＰＧＡハード等を構築する必要がないので簡易かつ安価に実現可能である。【００８５】
（第三の実施形態）
図７は、第三の実施形態にかかる波長分割多重伝送装置の構成を概念的に示すブロック図である。図７において、伝送装置１００（３）は波長分割多重伝送装置であって、広帯域の光を狭帯域に変換するトランスポンダ１１０（３）と監視制御部１５０（３）とを備える。図７においては、説明の簡便のためトランスポンダ１１０（３）は一つ記載するが、現実には伝送装置１００（３）は複数のトランスポンダ１１０（３）を備える。【００８６】
また、伝送装置１００（３）は、トランスポンダ１１０（３）が動作可能に実装された状態を監視制御部１５０（３）に通知するタイミングを所定条件が充足されるまでの時間相当分遅延させることを除き、伝送装置１００（２）と同一の構成と動作とを有するので、説明の重複を避けるため同一の部分には対応する番号を付してここでは詳述を避けるものとする。【００８７】
図７において、トランスポンダ１１０（３）は伝送装置１００（３）に差し込み等により挿脱可能に実装された際、またはその電源が起動された際に、監視制御部１５０（３）へ実装されたことを知らせる実装状態を、担当波長判定部１１６（３）がフィジカルインベントリ記憶部１１５（３）からＰＩ情報を読み出し終えた後に、通知する。このため、監視制御部１５０（３）への実装状態の通知は、読み出し処理完了後に担当波長判定部１１６（３）が自ら行うものとできる。【００８８】
換言すれば、担当波長判定部１１６（３）がフィジカルインベントリ記憶部１１５（３）からＰＩ情報を読み出し終えるまでの間は、監視制御部１５０（３）は、トランスポンダ１１０（３）の実装を認識しないこととなる。【００８９】
トランスポンダ１１０（３）と監視制御部１５０（３）とは、典型的には筐体に挿入脱着可能に搭載されて伝送装置１００（３）を構成している。このため、トランスポンダ１１０（３）と監視制御部１５０（３）とは、各々不図示の通信部を備えて当該通信部を介して相互に通信するものとしてもよい。【００９０】
監視制御部１５０（３）は、実装通知があるとトランスポンダ１１０（３）が備えるフィジカルインベントリ記憶部１１５（３）からパッケージ名称や担当波長等のＰＩ情報を読み出す。この場合において、担当波長判定部１１６（３）は、既にフィジカルインベントリ記憶部１１５（３）からＰＩ情報を読み出し終えているので、監視制御部１５０（３）からのフィジカルインベントリ記憶部１１５（３）への読み出しアクセスと、担当波長判定部１１６（３）からのフィジカルインベントリ記憶部１１５（３）への読み出しアクセスと、が重複することがなくハングアップ等の不具合や障害の発生懸念を低減した伝送装置１００（３）とできる。【００９１】
上述の説明で明らかなように、波長設定部１５１（３）からトランスポンダ１１０（３）には、従来発光させるチャンネル（ＣＨ）情報が指示入力されるところ、ＦＢＴＬ光モジュール１１３（３）は特定の４チャンネルと対応する特定の４波長は存在しないので、このままでは、指示されたチャンネルがどの波長で発光するとの指示であるのか不明である。そこで、担当波長判定部１１６（３）は、波長設定部１５１（３）から入力されるチャンネル情報を、具体的な発光波長の情報に変換して、ＦＢＴＬ光モジュール制御部１１２（３）へと出力する。【００９２】
また、担当波長判定部１１６（３）は、自身が搭載されるトランスポンダ１１０（３）の担当波長４つの中から、指示されたチャンネルに対応する波長をＦＢＴＬ光モジュール制御部１１２（３）へと出力する。これにより、ＦＢＴＬ光モジュール１１３（３）は、サポート可能な４０波長のうち、ＦＢＴＬ光モジュール制御部１１２（３）から制御指示された波長で発光する。なお、従来のＮＢ光モジュール９１３である場合には、チャンネルと波長との関係が予め定められているので、チャンネル指示のみにより、そのチャンネルに対応する特定波長で発光できるものである。【００９３】
次に、図８を用いて伝送装置１００（３）の動作処理について順次説明する。図８は、伝送装置１００（３）の動作処理を概念的に説明するフロー図である。【００９４】
（ステップＳ８１）
トランスポンダ１１０（３）の電源が起動された場合、またはトランスポンダ１１０（３）が伝送装置１００（３）に差し込み挿入された場合にはステップＳ８２へと進む。すなわち、トランスポンダ１１０（３）が伝送装置１００（３）に懸架されて動作可能なように実装された状態であれば、ステップＳ８２へと進む。【００９５】
トランスポンダ１１０（３）の電源が起動されていない場合、かつトランスポンダ１１０（３）が伝送装置１００（３）に差し込み挿入されていない場合にはステップＳ８１で待機する。すなわち、トランスポンダ１１０（３）が伝送装置１００（３）に懸架されて動作可能なように実装された状態でなければ、ステップＳ８１で待機する。【００９６】
（ステップＳ８２）
トランスポンダ１１０（３）の担当波長判定部１１６（３）は、フィジカルインベントリ記憶部１１５（３）から４つの担当波長を、監視制御部１５０（３）の指示を待つことなく読み出す。【００９７】
（ステップＳ８３）
担当波長判定部１１６（３）は、フィジカルインベントリ記憶部１１５（３）からＰＩ情報の読み出し処理が完了したか否かを判断する。担当波長判定部１１６（３）がフィジカルインベントリ記憶部１１５（３）からＰＩ情報の読み出し処理が完了したと判断すれば、ステップＳ８４へと進む。また、担当波長判定部１１６（３）がフィジカルインベントリ記憶部１１５（３）からＰＩ情報の読み出し処理が完了したと判断しなければ、ステップＳ８３で待機する。【００９８】
（ステップＳ８４）
トランスポンダ１１０（３）から監視制御部１５０（３）へ、トランスポンダ１１０（３）が動作可能なように実装された状態であることを通知する。【００９９】
（ステップＳ８５）
トランスポンダ１１０（３）が動作可能なように実装された状態であることを通知された監視制御部１５０（３）は、トランスポンダ１１０（３）のフィジカルインベントリ記憶部１１５（３）から、ＰＩ情報の読み出しを開始する。ＰＩ情報は、典型的には担当波長情報やパッケージ名称等であって、そのトランスポンダ１１０（３）を特徴付ける固有の情報である。【０１００】
（ステップＳ８６）
上述のステップＳ６４に対応するので、重複を避ける為にここでは説明を省略する。【０１０１】
（ステップＳ８７）
上述のステップＳ６５に対応するので、重複を避ける為にここでは説明を省略する。【０１０２】
（ステップＳ８８）
上述のステップＳ６６に対応するので、重複を避ける為にここでは説明を省略する。【０１０３】
（ステップＳ８９）
上述のステップＳ６７に対応するので、重複を避ける為にここでは説明を省略する。【０１０４】
（ステップＳ８ａ）
上述のステップＳ６８に対応するので、重複を避ける為にここでは説明を省略する。【０１０５】
伝送装置１００（３）は、監視制御部１５０（３）によるフィジカルインベントリ記憶部１１５（３）へのＰＩ情報の読み出しアクセスと、担当波長判定部１１６（３）による（すなわち、トランスポンダ１１０（３）自身による自立的な）フィジカルインベントリ記憶部１１５（３）へのＰＩ情報の読み出しアクセスとが、重複することを回避し、アクセスの衝突を回避することが可能でありスムースな読み出し処理となるのでさらに好ましい。【０１０６】
なお、第三の実施形態の説明において、担当波長判定部１１６（３）によるフィジカルインベントリ記憶部１１５（３）からＰＩ情報の読み出し処理が完了した後に、監視制御部１５０（３）へ実装通知を行う例として説明した。しかし、この動作処理と構成とに限定されることはなく、監視制御部１５０（３）によるフィジカルインベントリ記憶部１１５（３）へのＰＩ情報の読み出しアクセスと、担当波長判定部１１６（３）による（すなわち、トランスポンダ１１０（３）自身による自立的な）フィジカルインベントリ記憶部１１５（３）へのＰＩ情報の読み出しアクセスとが、重複しないように、例えば不図示の遅延回路等を用いて、監視制御部１５０（３）への実装通知を、担当波長判定部１１６（３）による所定の読み出し処理時間相当分だけ遅延させることとしてもよい。【０１０７】
また、トランスポンダ１１０（３）から監視制御部１５０（３）へは、実装を遅滞なく通知することとし、通知を受けた監視制御部１５０（３）が、担当波長判定部１１６（３）による読み出し時間相当分待機した後、フィジカルインベントリ記憶部１１５（３）へのＰＩ情報の読み出しアクセスを実行することとしてもよい。【０１０８】
本実施形態で例示した伝送装置１００と伝送装置１００（２）と伝送装置１００（３）とは、自明な範囲で適宜その構成と動作処理とを変更して用いることができるものである。
【産業上の利用可能性】
【０１０９】
本発明は、波長分割多重伝送装置や波長分割多重伝送装置の波長制御に利用可能である。
【図１】
2010070709.tif 000003
【図２】
2010070709.tif 000004
【図３】
2010070709.tif 000005
【図４】
2010070709.tif 000006
【図５】
2010070709.tif 000007
【図６】
2010070709.tif 000008
【図７】
2010070709.tif 000009
【図８】
2010070709.tif 000010
【図９】
2010070709.tif 000011
【図１０】
2010070709.tif 000012
【国際調査報告】
2010070709.tif 000013
2010070709.tif 000014
2010070709.tif 000015
2010070709.tif 000016